(57)【要約】【課題】光学ピックアップ装置のスライド・ベース上における対物レンズのｘ方向、ｙ方向、ｚ方向の位置決め、および光ディスクの面に対する対物レンズの光軸の傾き（スキュー）の修正を簡易に、かつ高精度で行うことのできる対物レンズ、その対物レンズを備えた対物レンズ駆動装置、光学ピックアップ装置を提供すること。【解決手段】対物面１１ｓに、光軸が通る対物面の頂点を中心とする円に沿って、断面が三角状の突起でリング状突起１２を形成させた対物レンズ１１を対物レンズ駆動装置２３に保持させ、対物レンズ１１の干渉像または干渉リング１２’を観察しながら、ｘ方向、ｙ方向、ｚ方向の位置、および光軸の傾きを調整した後、水平にチャックした光学ピックアップ装置２０のスライド・ベース２１に取付け固定する。【選択図】　　　　図６
2004029045.tif 000002
【特許請求の範囲】
【請求項１】
光記録媒体の記録面に光ビームを集光するための対物レンズであって、
前記対物レンズの対物面頂点部に、該対物レンズの光軸を中心とする円に沿って、連続的なまたは少なくとも３個が等間隔で不連続なリング状突起またはリング状溝が形成されている
ことを特徴とする対物レンズ。
【請求項２】
前記リング状突状または前記リング状溝の断面形状が三角状、四角状、半円状、半楕円状の何れかである
ことを特徴とする請求項１に記載の対物レンズ。
【請求項３】
前記リング状突起またはリング状溝のリング径が０．０１ｍｍ以上１ｍｍ以下である
ことを特徴とする請求項１に記載の対物レンズ。
【請求項４】
前記対物レンズが、対物レンズ成形用金型を作製するときの対物面加工時に前記リング状突起または前記リング状溝を同時に加工した成形用金型によって成形されたものである
ことを特徴とする請求項１に記載の対物レンズ。
【請求項５】
光源からの出射光を光記録媒体に集光する対物レンズをフォーカシング方向とトラッキング方向とに駆動する対物レンズ駆動装置において、
前記対物レンズの対物面頂点部に、該対物レンズの光軸を中心とする円に沿って連続的または少なくとも３個が等間隔で不連続なリング状突起またはリング状溝が形成されている
ことを特徴とする対物レンズ駆動装置。
【請求項６】
前記リング状突状または前記リング状溝の断面形状が三角状、四角状、半円状、半楕円状の何れかである
ことを特徴とする請求項５に記載の対物レンズ駆動装置。
【請求項７】
前記リング状突起またはリング状溝のリング径が０．０１ｍｍ以上１ｍｍ以下である
ことを特徴とする請求項５に記載の対物レンズ駆動装置。
【請求項８】
少なくとも光源からの出射光を光記録媒体に集光する対物レンズと、前記対物レンズをフォーカシング方向とトラッキング方向とに駆動する対物レンズ駆動装置と、前記光記録媒体からの反射光を受光して光電変換する受光素子とを有する光学ピックアップ装置において、前記対物レンズの対物面頂点部に、該対物レンズの光軸を中心とする円に沿って連続的または少なくとも３個が等間隔で不連続なリング状突起またはリング状溝が形成されている
ことを特徴とする光学ピックアップ装置。
【請求項９】
前記リング状突状または前記リング状溝の断面形状が三角状、四角状、半円状、半楕円状の何れかである
ことを特徴とする請求項８に記載の光学ピックアップ装置。
【請求項１０】
前記リング状突起またはリング状溝のリング径が０．０１ｍｍ以上１ｍｍ以下である
ことを特徴とする請求項８に記載の光学ピックアップ装置。
【発明の詳細な説明】
【０００１】
【発明の属する技術分野】
本発明は光記録媒体に情報を記録するための、または記録された情報を再生するための対物レンズ、対物レンズ駆動装置、およびその対物レンズ駆動装置を備えた光学ピックアップ装置に関するものである。
【０００２】
【従来の技術】
光記録媒体である光ディスクに情報を記録する場合、および記録された情報を光ディスクから再生する場合、光学ピックアップ装置においては、レーザ光源から出射されたレーザ光を対物レンズで集光して光ディスクに照射し、光ディスクで反射されて戻る反射光を受光する光学系が使用されている。図９は光ディスクに記録されている情報を再生するための一例の光ディスク装置４０の構成を示す斜視図である。光ディスク装置４０における光学ピックアップ装置２０は、スピンドルモータ４２により所定の回転数で回転する一点鎖線で示した光ディスク５０の記録面に対して、光源である半導体レーザから出射され対物レンズ３１で集光されたレーザ光を照射し、記録面で反射された反射光を受光して光電変換する受光素子からの出力信号（ＲＦ信号やサーボ信号）に基づいて光ディスク５０から少なくとも情報を再生する。そして、光学ピックアップ装置２０は、図示されない送りモータを駆動することにより、後述のスライド・ベース２１に設けられた軸受、軸溝（それぞれ図１０における２２ａ、２２ｂ）を介してメカニカルデッキ４４の２本の走行軸４５に跨り、光ディスク５０の径方向に走行（スライド）する。
【０００３】
図１０はカバーを取り除いた上記光学ピックアップ装置２０の斜視図であり、両端側にスライド用の軸受２２ａと軸溝２２ｂを備えたスライド・ベース２１と、スライド・ベース２１に取り付けられた対物レンズ駆動装置２３とからなる。そして、スライド・ベース２１には光源である半導体レーザ、ビームスプリッタ、光検出器等を備えたレーザ・カプラが内蔵されている。他方、対物レンズ駆動装置２３は先端側に対物レンズ３１を保持する枠形状の可動部２７と、可動部２７を上下方向（フォーカシング方向）と光ディスク５０の径方向（トラッキング方向）との二方向へ移動可能にバネ材２９によって片持ちで支持する固定部２４とからなり、固定部２４はスライド・ベース２１上に取り付けられている。
【０００４】
そして、可動部２７の上記フォーカシング方向とトラッキング方向への移動は、対物レンズ駆動装置２３の平面図である図１１のＡ、および図１１のＡにおける［Ｂ］−［Ｂ］線方向の断面図である図１１のＢを参照して、可動部２７に取り付けられたフォーカシング・コイル２８ａとトラッキング・コイル２８ｂに流される電流と、固定部２４に設けられたマグネット２５およびヨーク２６からなる磁気回路との電磁気的相互作用による。
【０００５】
このような光ディスク装置４０は、近年小型化、特に薄型化の傾向にあることや、光ディスク５０において記録の高密度化が図られていることから、読み取り精度の向上のために、光ディスク５０に対する対物レンズ３１の位置決めを高精度で行うことが要請されている。すなわち、スライド・ベース２１上に対物レンズ駆動装置２３を組込むに際しては、対物レンズ３１の水平面内でのｘ方向とｙ方向の位置、対物レンズ３１の頂点と光ディスク５０の情報記録面との距離を基準に設定されるスライド・ベース２１からの高さであるｚ方向の位置、および光ディスク５０の面に対する対物レンズ３１の光軸の傾き（スキュー）である。
【０００６】
従来、光ディスクに対する対物レンズの位置及び傾き調整には主として次のような方法が採用されている。
▲１▼　実際に即して、光ディスクを回転させ、半導体レーザによる光ビームを光ディスクに照射して、得られる情報再生信号のジッター値等を参考にして対物レンズの位置及び傾きを調整する。
▲２▼　対物レンズの位置を機械的に測定して対物レンズの位置及び傾きを調整する。
▲３▼　光ビームの焦点付近のスポット形状が楕円形の場合、これが円形になるように対物レンズの位置及び傾きを調整する。
【０００７】
【発明が解決しようとする課題】
上記の三方法のうち、▲１▼の方法は光ディスクを回転させ、半導体レーザによる光ビームの照射を要し、▲３▼の方法もほぼ同様であることから調整装置が高価にならざるを得ない。これに対して▲２▼の方法は対物レンズの位置を単に機械的に測定して位置決めする方法であるから調整装置は低コストであるが、特にＺ方向の位置は対物レンズ本来の形状以外の部分、例えばレンズホルダとの固定面を基準に決めることになるので間接的な方法であり、厳密に正確な位置決めは期待できない。例えば、次に示す先行技術は対物レンズの位置調整に▲２▼の方法が適用されるものである。
【０００８】
例えば、特開平９−１６９９９号公報に開示されている対物レンズ駆動装置では、図１２に示すように、光ディスクＣと対向する対物レンズ６１の対物面側に、対物レンズ６１の光軸中心と同心の円筒状側面６２を設け、レンズホルダ７１に設けられた光ビームの通路である開口穴７２に円筒状側面６２を挿入することにより、種々のトラブルを生じ易い紫外線硬化性接着剤を使用することなく対物レンズ６１とレンズホルダ７１とを簡易に固着することができ、かつ対物レンズ６１の光軸中心とレンズホルダ７１の開口穴７２の中心とを自ずから一致させることができるとされている。
【０００９】
また、特開２００１−６２０３号公報においては、一つの光学ピックアップ装置でＣＤ系光ディスクとＤＶＤ系光ディスクの両方の記録、再生を行わせるものとして、図１３に示すように、位相制御素子８１と対物レンズ９１とに、それぞれ中心軸を合わせるための位置決めマーク８２、９２を設けておき、この位置決めマーク８２、９２によって中心軸を一致させて位置決めした後にホルダ８３に固定したものが採用されている。そして、このような構成とすることによって、位相制御素子８１と対物レンズ９１とが偏心することなく一体化され、ＤＶＤ系光ディスクＤの再生性能を維持しながら、図示を省略したＣＤ系光ディスクの再生性能も設計通りに安定して得られるとしている。すなわち、対物レンズ９１の光ビーム入射面側の光軸上に中心軸の位置決めマーク９２が形成されているものである。
【００１０】
上記の特開平９−１６９９９号公報による対物レンズ駆動装置の対物レンズ６１は、そのレンズホルダ７１への固着方法により、レンズホルダ７１の位置が正確であれば、光ディスクＣに対する対物レンズ６１の水平面内におけるｘ方向とｙ方向の位置は正確に決定されるが、対物レンズ６１のｚ方向の位置は例えばレンズホルダ７１と対物レンズ６１との接触面Ｑを基準に設定することになり間接的な設定となるほか、レンズホルダ７１自体の寸法精度も絡むので、Ｚ方向の位置を厳密な精度で設定することはできない。勿論、対物レンズ６１の傾きの補正は別な手段で行うことになる。そして、このことは特開２００１−６２０３号公報による光ピックアップ装置においても同様である。
【００１１】
本発明は上述の問題に鑑みてなされ、対物レンズの頂点と光ディスクの情報記録面との位置関係を基準に設定される、光学ピックアップ装置のスライド・ベース上における対物レンズの水平面内でのｘ方向とｙ方向の位置とスライド・ベースからの高さであるｚ方向の位置、および光ディスクの面に対する対物レンズの光軸の傾きの調整を、簡易な方法によって高精度で行うことのできる対物レンズ、より高密度化の傾向にある光記録媒体に対応する対物レンズ駆動装置、および対物レンズ駆動装置を備え、より高密度化の傾向にある光記録再生媒体の記録または再生に対応し得る光学ピックアップ装置を提供することを課題とする。
【００１２】
【課題を解決するための手段】
上記の課題の解決手段を説明すれば、次の如くである。
【００１３】
本発明の対物レンズは、情報記録媒体の記録面に光ビームを集光するための対物レンズであって、対物レンズの対物面頂点部に、この対物レンズの光軸を中心とする円に沿って、連続的なまたは少なくとも３個が等間隔で不連続なリング状突起またはリング状溝が形成されていることを特徴とする。
このような対物レンズは、その対物面を干渉顕微鏡によって観察した時に、対物面頂点部に形成されたリング状突起またはリング状溝で生ずる干渉像または干渉リングによって、光学ピックアップ装置のスライド・ベース上における対物レンズの水平面内のｘ方向とｙ方向の位置とスライド・ベースからの高さであるｚ方向の位置の調整、および光ディスクの面に対する対物レンズの光軸の傾きの調整を行うことができる。
【００１４】
また本発明の対物レンズは、上記したリング状突状またはリング状溝の断面形状が三角状、四角状、半円状、半楕円状の何れかであることを特徴とする
このような対物レンズは、対物レンズの成形用金型作製の対物面加工時に、これらのリング状突起またはリング状溝を同時に加工することができるので、対物レンズの光軸中心に対してリング状突起またはリング状溝を高精度に加工することができる。
このように作製された対物レンズのコスト上昇は小さく、また、リング状突起またはリング状溝の中心位置が対物レンズの光軸と高精度で一致することから、対物レンズの干渉像または干渉リングを観察することによる対物レンズのｘ方向、ｙ方向、ｚ方向の位置、および光ディスクの面に対する対物レンズの光軸の傾きを簡易に高精度で調整することを可能にする。
【００１５】
さらに本発明の対物レンズは、上記したリング状突起またはリング状溝のリング径が０．０１ｍｍ以上１ｍｍ以下であることを特徴とする。なお、本明細書で記述するリング径とはリングの外径を指す。
０．０１ｍｍ以上１ｍｍ以下は、リング状突起またはリング状溝を干渉顕微鏡観察して対物レンズを水平面内で位置調整する時の調整精度に相当する値までの範囲の値であり、リング状突起の高さと幅またはリング状溝の深さと幅は干渉像または干渉リングが認められる寸法に形成されているものである。
このような対物レンズは、リング状突起またはリング状溝のリング径が小さいので光学特性に影響を受けることなく記録用または再生用の光ビームを集光するほか、対物レンズ位置や傾きの調整を行うための干渉像または干渉リングを明瞭に発生させる。
【００１６】
本発明の対物レンズ駆動装置は、上記本発明の対物レンズをフォーカシング方向とトラッキング方向とにそれぞれ移動させ得るように構成されているものである。
このような対物レンズ駆動装置は、スライド・ベースに対する対物レンズの位置、光軸の傾きを調整してスライド・ベースに固定することにより、高密度化傾向にある光記録媒体に対応することができる。
【００１７】
本発明の光学ピックアップ装置は、上記本発明の対物レンズ駆動装置を備え、光源である半導体レーザから出射された光ビームを対物レンズで集光して情報を記録または再生するように構成されているものである。
このような光学ピックアップ装置は、より高密度化傾向にある光記録媒体に対応する記録または再生を行うことができる。
【００１８】
【発明の実施の形態】
本発明の対物レンズ、対物レンズ駆動装置、および光学ピックアップ装置は、光記録媒体の記録面に光ビームを集光するための対物レンズであって、対物レンズの対物面頂点部に、その頂点を中心とする円に沿って、連続的なまたは少なくとも３個が等間隔で不連続なリング状突起またはリング状溝が形成され対物レンズ、この対物レンズをフォーカシング方向とトラッキング方向とに移動させる対物レンズ駆動装置、及びこの対物レンズ駆動装置を備え、光源である半導体レーザから出射された光ビームにより光記録媒体への情報の記録または再生を行う光学ピックアップ装置である。
【００１９】
対物レンズの対物面頂点部に形成されるリング状突起またはリング状溝は、対物面の頂点を中心とする円に沿って形成されたものであり、これらは対物レンズ成形用金型作製の対物面加工時に同時加工ができ、対物面の頂点中心に対して高精度で加工される。そして、干渉像がリング状に明確に認められ対物レンズの位置調整も容易であると言う点で、リング状のものとすることが好ましい。なお、干渉像を発生させるという点でリング状突起とするかリング状溝とするかに差異はなく、任意に選択できる。そして、リング状突起またはリング状溝の断面形状は三角状、四角状、半円状、半楕円状が望ましい。
【００２０】
対物レンズの対物面頂点部に形成するリング状突起またはリング状溝のリング径の設定は干渉像を観察する干渉顕微鏡の倍率によっても支配される。例えば、倍率が２０倍程度の干渉顕微鏡を使用すると、通常は０．３ｍｍ四方程度の領域が観察できるので、リング状突起またはリング状溝のリング径を０．３ｍｍ以下とすることにより、干渉像である干渉リングを観察することができる。他方、一般的には、レンズ面に０．１ｍｍ四方以下の大きさのゴミ、キズがあってもレンズの光学的特性に影響を与えないことが知られているので、その点からは、リング状突起またはリング状溝のリング径は０．１ｍｍ以下とすることが望ましい。そして、リング状突起またはリング状溝のリング径の下限は、リング状突起またはリング状溝を干渉顕微鏡で観察して対物レンズを水平面内で位置調整する時の調整精度に相当する値とすることができる。すなわち、対物レンズの位置の調整精度が５０μｍである場合には、リング状突起またはリング状溝のリング径を５０μｍとすることができる。実際に求められる対物レンズの位置精度は１０μｍ程度であるので、リング状突起またはリング状溝のリング径は１０μｍよりも大であることが望ましい。
【００２１】
また、リング状突起の高さと幅、またはリング状溝の深さと幅は、対物レンズの対物面を干渉顕微鏡で観察した時に干渉リングが認められる寸法、例えば５〜６μｍ以下とされる。下限は成形用金型の加工上の限界、または干渉顕微鏡による観察上の限界によって支配されるが、通常は１〜２μｍ程度であり、それ以下とすることも可能である。なお、これらの機械的な寸法に関しては、リング状突起またはリング状溝を連続的に形成する場合、および少なくとも３個を等間隔で不連続に形成する場合の何れに係わらず同様で良い。
【００２２】
対物レンズの対物面頂点部に形成されるリング状突起またはリング状溝は、対物レンズ成形用金型作製の際の、例えば旋盤による対物面の加工時に突起または溝に対応する部分を同時加工して得られた成形用金型を使用して成形されたものであることが望ましい。すなわち、同時加工することによって、対物レンズの対物面の頂点とリング状突起またはリング状溝の円の中心との高精度で一致したものが容易に得られ、対物レンズの光軸が傾いている場合を除いて、干渉顕微鏡で観察される干渉リングの中心は対物レンズの頂点と高精度で一致するので、干渉リングの観察結果に基いての対物レンズの位置の調整を容易且つ高精度で行う事ができる。
【００２３】
対物レンズ駆動装置は、上記のようなリング状突起またはリング状溝を対物面に有する対物レンズをフォーカシング方向とトラッキング方向の二方向に移動させる装置である。そして、スライド・ベースを基準に対物レンズ駆動装置の対物レンズの位置および光軸の傾きを調整した後に、対物レンズ駆動装置をスライド・ベースに取付けることにより光学ピックアップ装置が作製される。
【００２４】
【実施例】
以下、本発明の対物レンズを実施例により図面を参照して具体的に説明する。なお、以下ではリング状突起に係る実施例について説明し、リング状溝に係る説明は凸と凹との差であるため省略する。
【００２５】
（実施例）　図１は本発明の対物レンズ１１の模式的断面図であり、図１０を援用して対物レンズ駆動装置２３の可動部２７の一部と共に示されている。この対物レンズ１１の対物面１１ｓには断面が三角状のリング状突起１２が形成されている。図１では外径５ｍｍ前後の対物レンズ１１に対してリング状突起１２の形状（リング径および高さ）は誇張して示されているが、後述するように、そのリング径は６０μｍ程度、高さＨは１．５μｍ程度である。また、図２は図１に示したリング状突起１２を有する対物レンズ１１の対物面１１ｓを干渉顕微鏡６で観察している状態を示す斜視図である。なお、この対物レンズ１１はプラスチックスを金型で成形したものである。
【００２６】
また図３は対物レンズ１１のみを示す図であり、図３のＡは平面図、図３のＢは図３のＡにおける［Ｂ］−［Ｂ］線方向の断面図である。そして、図４は対物レンズ１１の対物面１１ｓの頂点部を示す図であり、図４のＡは平面図、図４のＢは図４のＡにおける［Ｂ］−［Ｂ］線方向の断面図である。すなわち、図４のＢは図３のＢに示した対物レンズ１１の○印で示す部分に相当する。図４のＡに示すように、リング状突起１２のリングの内径ＩＤは５０μｍ、リングの幅Ｗは５μｍとされている。従ってリング状突起１２のリング径、すなわちリングの外径ＯＤは６０μｍとなっている。また、図４のＢに示すように、リング状突起１２の高さＨは１．５μｍとされている。
【００２７】
図１０を援用して、上記のような本発明の対物レンズ１１を保持する可動部２７と、可動部２７をバネ材２９によって片持ちで支持する固定部２４とからなる対物レンズ駆動装置２３をスライド・ベース２１に取付けて光学ピックアップ装置２０が組立てられるが、図５は上記のスライド・ベース２１に対し、対物レンズ１１が所定の位置となるように固定部２４の位置を調整して、固定部２４すなわち対物レンズ駆動装置２３をスライド・ベース２１に取付けるための一例の取付装置１を示す斜視図である。すなわち、取付装置１は共通ベース板２上に、対物レンズ駆動装置２３をセットする受台４を上端部に備えた五軸ステージ５と、干渉顕微鏡６を水平方向へ摺動可能取り付けた顕微鏡台９とからなっている。そして、スライド・ベース２１は後述の受台中央部４ｍの直下となる位置に五軸ステージ５とは独立した状態で水平にチャッキングされる。
【００２８】
五軸ステージ５は、受台中央部４ｍを受台４内でｘ方向に移動させるＸステージ５１　、ｙ方向に移動させるＹステージ５２　、ｚ方向に移動させるＺステージ５３　、および受台中央部４ｍと共に受台４を傾斜の方向が（ｙ−ｚ）面内にあるように傾斜させるＹＺゴニオステージ５４　、同じく受台４を傾斜の方向が（ｘ−ｚ）面内にあるように傾斜させるＸＺゴニオステージ５５　とから構成されており、光学ピックアップ装置２０のスライド・ベース２１に対する対物レンズ駆動装置２３、すなわち、対物レンズ駆動装置２３に保持された対物レンズ１１の位置および姿勢（光軸の傾き）を調整することができようになっている。そして、所定の位置、姿勢が得られた時点で、対物レンズ駆動装置２３の固定部２４が光学ピックアップ装置２０のスライド・ベース２１に接着剤や半田によって固定される。
【００２９】
また、干渉顕微鏡６はその取付けブロック７によってガイドレール８上を矢印ｔで示すようにｘ方向へ摺動可能に取り付けられており、五軸ステージ５の受台中央部４ｍにセットされる対物レンズ駆動装置２３に保持された対物レンズ１１の直上へ移動され、その視野に現れる対物レンズ１１上に干渉像または干渉リングが観察される。
【００３０】
すなわち、光学ピックアップ装置２０のスライド・ベース２１上における対物レンズ１１のｘ方向、ｙ方向、ｚ方向の所定の位置は、干渉顕微鏡６の下端を規準とする対物レンズ１１の位置に置き換えて知ることができる。そして、所定位置における対物レンズ１１の光軸の傾きも干渉像を観察して知ることができることになる。図６は上記の取付装置１において干渉顕微鏡６で対物レンズ１１を観察した時の、干渉顕微鏡６と対物レンズ１１との位置関係と、それに基づいて現れる干渉像を示す図である。すなわち、図６のＡ、Ｂ、Ｃはそれぞれ、下側に干渉顕微鏡６の下端と対物レンズ１１との位置関係を模式的に示し、上側には干渉顕微鏡６に繋いだＣＲＴ等のモニター画面で見られる干渉顕微鏡６の視野内のリング状突起１２と干渉像１２’を示す。
【００３１】
図６のＡは、干渉顕微鏡６の下端と対物レンズ１１の頂点ｐとの距離が所定の距離ｋとなっており、かつ対物レンズ１１の光軸の傾きもない場合の干渉像１２’１　　を示す図である。この場合には中心部が濃く周辺ほど薄れる干渉像１２’１となる。なお、対物レンズ１１のｘ方向とｙ方向の位置の調整は、モニター画面にリング状突起１２が丁度囲われる井桁Ｌを書き込み、リング状突起１２が井桁Ｌの囲いの中へ入るようにＸステージ５１とＹステージ５２　を操作して行われる。図６のＡはその操作が完了した状態で示されており、この状態で対物レンズ駆動装置２３がスライド・ベース２１に取り付けられて光学ピックアップ装置２０が作製される。なを、井桁Ｌによるｘ方向とｙ方向の位置決めは後述の図６のＢおよび図６のＣについても同様である。
【００３２】
図６のＢは、対物レンズ１１のｘ方向とｙ方向の位置は所定通りであるが、干渉顕微鏡６の下端と対物レンズ１１の頂点ｐとの距離が所定の距離ｋより小さい場合、すなわち、スライド・ベース２１からのｚ方向の高さ位置が大である場合には干渉リング１２’２　が現れる。このような場合には、Ｚステージ５３　を操作して対物レンズ１１の位置を図６のＡのように調整し、その状態でスライド・ベース２１への対物レンズ駆動装置２３の取付けが行われることにより対物レンズ１１が所定の位置、姿勢で正確に固定される。なお、図６のＢとは逆に干渉顕微鏡６の下端と対物レンズ１１の頂点ｐとが所定の距離ｋより大きい場合には、干渉像または干渉リングは現れない。
【００３３】
図６のＣは、対物レンズ１１のｘ方向とｙ方向の位置は所定通りであるが、対物レンズ１１の光軸が傾いている場合の干渉リング１２’３を示す。すなわち、光軸が傾いた対物レンズ１１の場合には、その対物面１１ｓの最も高い点ｐ’を中心として干渉リング１２’３　が現れる。このような場合にはＹＺステージ５４を操作して対物レンズ１１の光軸を垂直にした後、スライド・ベース２１への対物レンズ駆動装置２３の取付けが行われることにより、対物レンズ１１が所定の位置、姿勢で正確に固定される。
【００３４】
以上、要するにリング状突起あるいはリング状溝を形成させた対物レンズ１１の干渉像または干渉リングを観察して、光学ピックアップ装置のスライド・ベース上における対物レンズの▲１▼ｘ方向とｙ方向の位置の調整、▲２▼ｚ方向の位置の調整、および▲３▼光ディスクに対する光軸の傾きの調整、が行われるが、基本的には、これらをどのような順序で行ってもよい。しかし、実施に際して最も行い易いのは、最初に▲３▼の光軸の傾きの修正を行い、次いで▲１▼のｘ方向とｙ方向の位置決めを行い、最後に▲２▼のｚ方向の位置決めを行う手順である。
【００３５】
以上、本発明の実施の形態について説明したが、勿論、本発明はこれに限定されることなく、本発明の技術的思想に基づいて種々の変形が可能である。
【００３６】
例えば本実施例においては、対物レンズ１１の対物面１１ｓに断面が三角状のリング状突起１２を設けたものを例示したが、対物面の頂点を中心とする円に沿って形成されるものであれば、例えば図７のＡ、Ｂ、Ｃに示すように、部分的に欠落部を有するリング状の１３、破線状の１４、複数の点状の１５としてもよい。
【００３７】
また本実施例においては、断面形状が三角状の突起であるリング状突起１２を例示したが、突起として形成させる場合の断面形状としては、図１の対物レンズ１１と比較し得るように誇張して描いた図８のＡ、Ｂ、Ｃの左側に示すように、四角状の１６ないしは半円状の１７や半楕円状の１８としてもよい。また断面形状は突起とは逆の溝としてもよく、図８のＡ、Ｂ、Ｃの右側に示した１６ｒ、１７ｒ、１８ｒとしてもよい。
【００３８】
また本実施例においては、対物レンズを金型によって成形されたプラスチック製である場合を例示したが、ガラス製の対物レンズとしてもよい。ガラス製対物レンズにおいて成形型を使用しない場合には、製造された対物レンズの対物面に溝を後加工することになる。
【００３９】
【発明の効果】
本発明の対物レンズ、対物レンズ駆動装置、および光学ピックアップ装置は、以上に説明したような形態で実施され、次に記載するような効果を奏する。
【００４０】
本発明の対物レンズによれば、情報記録媒体に光ビームを集光する対物レンズの対物面頂点部に、この対物レンズの光軸を中心とする円に沿って、連続的なまたは少なくとも３個が等間隔で不連続なリング状突起またはリング状溝が形成されているので、その対物面を干渉顕微鏡によって観察しながら対物レンズの位置と姿勢を調整するという簡易な操作によって、光学ピックアップ装置のスライド・ベース上における対物レンズのｘ方向、ｙ方向、ｚ方向の位置、および光ディスクの面に対する対物レンズの光軸の傾きを高精度で調整することができる対物レンズの提供が可能となる。
【００４１】
本発明の対物レンズ駆動装置によれば、本発明の対物レンズを備えているので、スライド・ベースに対する対物レンズの位置と光軸の傾きを高精度に調整してスライド・ベースに高精度で固定されるため、更に高密度化傾向にある情報記録媒体に対応する対物レンズ駆動装置の提供が可能となる。
【００４２】
本発明の光学ピックアップ装置によれば、本発明の対物レンズ駆動装置を備え、光ビームを対物レンズで集光して情報を記録または再生するので、更に高密度化傾向にある情報記録媒体に対応する光学ピックアップ装置の提供が可能となる。
【図面の簡単な説明】
【図１】本発明の対物レンズの模式的断面図である。
【図２】同対物レンズを干渉顕微鏡で観察している状態を示す斜視図である。
【図３】同対物レンズのみを示す図であり、Ａは平面図、ＢはＡにおける［Ｂ］−［Ｂ］線方向の断面図である。
【図４】同対物レンズの対物面の頂点付近を示す拡大図であり、Ａは平面図、ＢはＡにおける［Ｂ］−［Ｂ］線方向の断面図である。
【図５】干渉像を観察して対物レンズを所定の位置、姿勢とした後、スライド・ベースに取付けるための取付装置の斜視図である。
【図６】取付装置の干渉顕微鏡で対物レンズの観察した時の、干渉顕微鏡の下端と対物レンズとの位置関係と、その時に認められる干渉像または干渉リングを示す図であり、Ａは対物レンズの位置および光軸の向きが正常な場合の干渉像、Ｂは干渉顕微鏡の下端と対物レンズとの距離が所定の値より小さい場合に現れる干渉リング、Ｃは対物レンズが傾いている場合に現れる干渉リングを示す図である。
【図７】変形例の各種リング状突起あるいはリング状溝の平面図である。
【図８】変形例の各種リング状突起あるいはリング状溝の断面図である。
【図９】光ディスク装置における光学ピックアップ装置、対物レンズ駆動装置と光ディスクとの関係を示す斜視図である。
【図１０】スライド・ベースに対物レンズ駆動装置が取り付けられた光学ピックアップ装置の斜視図である。
【図１１】対物レンズ駆動装置を示す図であり、Ａは平面図、ＢはＡにおける［Ｂ］−［Ｂ］線方向の断面図である。
【図１２】従来例の対物レンズの断面図である。
【図１３】他の従来例の対物レンズの断面図である。
【符号の説明】
１……取付装置、５……五軸ステージ、６……干渉顕微鏡、１１……対物レンズ、１２……リング状突起、２０……光学ピックアップ装置、２１……スライド・ベース、２３……対物レンズ駆動装置、２４……固定部、２７……可動部、３１……対物レンズ
【図１】
2004029045.tif 000003
【図２】
2004029045.tif 000004
【図３】
2004029045.tif 000005
【図４】
2004029045.tif 000006
【図５】
2004029045.tif 000007
【図６】
2004029045.tif 000008
【図７】
2004029045.tif 000009
【図８】
2004029045.tif 000010
【図９】
2004029045.tif 000011
【図１０】
2004029045.tif 000012
【図１１】
2004029045.tif 000013
【図１２】
2004029045.tif 000014
【図１３】
2004029045.tif 000015